(57)【要約】【課題】モジュールおよびサブアセンブリに接続された表示アセンブリに基づいて異なる表示機能を提供する。【解決手段】２つの異なる表示アセンブリのためのムーブメント・アセンブリを備える着用可能な電子装置であって、作動機構の作動を制御するための、作動機構に動作可能に連結された、変更可能な機能を有するコントローラを備え、第１の表示アセンブリを動作させるためのコントローラの機能が、第２の表示アセンブリを動作させるための機能とは異なり、それにより、着用可能な電子装置の表示機能が、モジュールの１または複数の歯車に動作可能に連結された表示アセンブリに基づいて変更可能であり、それにより、モジュールおよびサブアセンブリを使用して、それに連結された表示アセンブリに基づいて、異なる表示機能を提供することができる。【選択図】図４
2008544241.tif 000002
【特許請求の範囲】
【請求項１】
着用可能な電子装置の第１の表示アセンブリの少なくとも１つの表示指示器と、第２の表示アセンブリの少なくとも１つの表示指示器とを制御するためのムーブメント・アセンブリにおいて、
上記第１の表示アセンブリの上記少なくとも１つの表示指示器が、上記第２の表示アセンブリの上記少なくとも１つの表示指示器の構成とは異なり、且つ上記ムーブメント・アセンブリが上記第１の表示アセンブリと上記第２の表示アセンブリの両方を個々に受け入れ可能に構成されており、さらに、
上記ムーブメント・アセンブリは、
少なくとも１つの作動機構と、上記作動機構に回転可能に係合した１または複数の歯車とを有するサブアセンブリが内部に配設されるとともに、上記作動機構の作動が上記１または複数の歯車の回転を引き起こすように構成されたモジュールと、
上記作動機構の作動を制御するために上記作動機構に動作可能に連結されたコントローラと、
上記モジュールの上記１または複数の歯車に動作可能に連結するために、上記第１の表示アセンブリおよび第２の表示アセンブリの一方に基づいて上記コントローラの機能を変更する手段とを備え、これにより、
上記着用可能な電子装置の表示機能が、上記モジュールの上記１または複数の歯車に動作可能に連結された上記表示アセンブリに基づいて変更可能であり、
連結された上記表示アセンブリに基づいて異なる表示機能を提供するために、上記モジュールおよび上記サブアセンブリを使用できることを特徴とするムーブメント・アセンブリ。
【請求項２】
上記コントローラの機能を変更する手段が、ソフトウェア・プログラミング機能からなることを特徴とする請求項１に記載のムーブメント・アセンブリ。
【請求項３】
上記コントローラの機能を変更する手段が、上記表示アセンブリ自体に設けられた構成であって、プラグイン方式のような作用をもたらすものであり、これにより、どの表示アセンブリがその上に設けられているのかを示す信号が、上記コントローラに与えられるようになっていることを特徴とする請求項１に記載のムーブメント・アセンブリ。
【請求項４】
上記コントローラの機能を変更する手段が、ボタン列（button sequence）により構成されていることを特徴とする請求項１に記載のムーブメント・アセンブリ。
【請求項５】
上記コントローラの機能を変更する手段が、接合部の選択によって実現され、その接合部の選択には、ボンドワイヤの付加および／または除去、選択した電気的接続部の開閉、および／または、選択したはんだ接合の付加または除去が含まれることを特徴とする請求項１に記載のムーブメント・アセンブリ。
【請求項６】
上記第１の表示アセンブリの上記少なくとも１つの表示指示器が表示針であり、上記第２の表示アセンブリの上記少なくとも１つの表示指示器がディスクであることを特徴とする請求項１に記載のムーブメント・アセンブリ。
【請求項７】
上記第１の表示アセンブリの上記少なくとも１つの表示指示器が表示針であり、上記第２の表示アセンブリの上記少なくとも１つの表示指示器がリングであることを特徴とする請求項１に記載のムーブメント・アセンブリ。
【請求項８】
第１の表示アセンブリの少なくとも１つの表示指示器と、第２の表示アセンブリの少なくとも１つの表示指示器とを制御するためのムーブメント・アセンブリを備え、
上記第１の表示アセンブリの上記少なくとも１つの表示指示器の構成が、上記第２の表示アセンブリの上記少なくとも１つの表示指示器の構成とは異なり、且つ上記ムーブメント・アセンブリが、上記第１の表示アセンブリと上記第２の表示アセンブリの両方を個々に受け入れ可能に構成され、さらに、上記ムーブメント・アセンブリが、サブアセンブリが内部に配設されたモジュールを備え、上記サブアセンブリが、少なくとも１つの作動機構と、上記作動機構に回転可能に係合した１または複数の歯車とを有し、上記作動機構の作動が上記１または複数の歯車の回転を引き起こすように構成された着用可能な電子装置であって、
変更可能な機能を有し、上記作動機構の作動を制御するために上記作動機構に動作可能に連結されたコントローラを備え、
上記第１の表示アセンブリを動作させるための上記コントローラの機能が、上記第２の表示アセンブリを動作させるための機能とは異なり、これにより、
上記着用可能な電子装置の表示機能が、上記モジュールの上記１または複数の歯車に動作可能に連結された上記表示アセンブリに基づいて変更可能であり、
連結された上記表示アセンブリに基づいて異なる表示機能を提供するために、上記モジュールおよび上記サブアセンブリが使用できることを特徴とする着用可能な電子装置。
【請求項９】
上記サブアセンブリおよび上記モジュールの構成が、上記第１の表示アセンブリまたは上記第２の表示アセンブリのどちらが上記１または複数の歯車に動作可能に連結されているかに無関係であることを特徴とする請求項８に記載の着用可能な電子装置。
【請求項１０】
上記第１の表示アセンブリの上記少なくとも１つの表示指示器が表示針であり、上記第２の表示アセンブリの上記少なくとも１つの表示指示器がディスクであることを特徴とする請求項８に記載の着用可能な電子装置。
【請求項１１】
上記第１の表示アセンブリの上記少なくとも１つの表示指示器が表示針であり、上記第２の表示アセンブリの上記少なくとも１つの表示指示器がリングであることを特徴とする請求項９に記載の着用可能な電子装置。
【請求項１２】
第１の表示アセンブリの少なくとも１つの表示指示器と、第２の表示アセンブリの少なくとも１つの表示指示器とを制御するためのムーブメント・アセンブリを備え、上記第１の表示アセンブリの上記少なくとも１つの表示指示器の構成が、上記第２の表示アセンブリの上記少なくとも１つの表示指示器の構成とは異なり、且つ上記ムーブメント・アセンブリが、上記第１の表示アセンブリと上記第２の表示アセンブリの両方を個々に受け入れ可能に構成され、さらに、上記ムーブメント・アセンブリが、サブアセンブリが内部に配設されたモジュールを備え、上記サブアセンブリが、少なくとも１つの作動機構と、上記作動機構に回転可能に係合した１または複数の歯車とを有し、上記作動機構の作動により上記１または複数の歯車の回転が引き起こされる着用可能な電子装置であって、
上記作動機構の作動を制御するために上記作動機構に動作可能に連結された、カスタマイズされたコントローラを備え、
上記コントローラの機能が、上記第１の表示アセンブリの上記少なくとも１つの表示指示器を個別に動作可能に制御するとともに、上記第２の表示アセンブリの上記少なくとも１つの表示指示器を動作可能に制御するようにカスタマイズされ、
上記第１の表示アセンブリの上記少なくとも１つの表示指示器を動作可能に制御するための上記コントローラの機能が、上記第２の表示アセンブリの上記少なくとも１つの表示指示器を制御するための機能とは異なり、これにより、
上記着用可能な電子装置の表示機能が、上記モジュールの上記１または複数の歯車に動作可能に連結された上記表示アセンブリに基づいて変更可能であり、
連結された上記表示アセンブリに基づいて異なる表示機能を提供するために、上記モジュールおよび上記サブアセンブリが使用できることを特徴とする着用可能な電子装置。
【請求項１３】
第１の表示アセンブリの少なくとも１つの表示指示器と、第２の表示アセンブリの少なくとも１つの表示指示器とを制御するためのムーブメント・アセンブリを備えた着用可能な電子装置を構築する方法であって、
上記第１の表示アセンブリの上記少なくとも１つの表示指示器の構成が、上記第２の表示アセンブリの上記少なくとも１つの表示指示器の構成とは異なり、上記ムーブメント・アセンブリが、上記第１の表示アセンブリと上記第２の表示アセンブリの両方を個々に受け入れ可能に構成され、さらに、上記ムーブメント・アセンブリが、サブアセンブリが内部に配設されたモジュールを備え、上記サブアセンブリが、少なくとも１つの作動機構と、上記作動機構に回転可能に係合した１または複数の歯車とを有し、上記作動機構の作動が上記１または複数の歯車の回転を引き起こすようになっており、
上記方法は、
上記第１の表示アセンブリの上記少なくとも１つの表示器に特有の機能と、上記第２の表示アセンブリの上記少なくとも１つの表示器に特有の機能とを有するコントローラを備えた着用可能な電子装置を提供するステップを備え、
上記コントローラが、上記作動機構の作動を制御するために上記作動機構に動作可能に連結され、
上記第１の表示アセンブリの上記少なくとも１つの表示指示器を動作させるための上記コントローラの機能が、上記第２の表示アセンブリの上記少なくとも１つの表示指示器を動作させるための機能とは異なり、これにより、
上記着用可能な電子装置の表示機能が、上記モジュールの上記１または複数の歯車に動作可能に連結された上記表示アセンブリに基づいて変更可能であり、
連結された上記表示アセンブリに基づいて異なる表示機能を提供するために、上記モジュールおよび上記サブアセンブリが使用できることを特徴とする着用可能な電子装置を構築する方法。
【請求項１４】
上記第１の表示アセンブリの上記少なくとも１つの表示指示器が表示針であり、上記第２の表示アセンブリの上記少なくとも１つの表示指示器がディスクであることを特徴とする請求項１３に記載の方法。
【請求項１５】
上記第１の表示アセンブリの上記少なくとも１つの表示指示器が表示針であり、上記第２の表示アセンブリの上記少なくとも１つの表示指示器がリングであることを特徴とする請求項１３に記載の方法。
【請求項１６】
上記コントローラの機能を変更する手段が、ソフトウェア・プログラミング機能からなることを特徴とする請求項１３に記載の方法。
【請求項１７】
第１の表示アセンブリの少なくとも１つの表示指示器と、第２の表示アセンブリの少なくとも１つの表示指示器を制御するためのムーブメント・アセンブリを有する着用可能な電子装置を構築するための方法であって、
上記第１の表示アセンブリの上記少なくとも１つの表示指示器の構成が、上記第２の表示アセンブリの上記少なくとも１つの表示指示器の構成とは異なり、上記ムーブメント・アセンブリが、上記第１の表示アセンブリと上記第２の表示アセンブリの両方を個々に受け入れ可能に構成され、さらに、上記ムーブメント・アセンブリが、サブアセンブリが内部に配設されたモジュールを備え、上記サブアセンブリが、少なくとも１つの作動機構と、上記作動機構に回転可能に係合した１または複数の歯車とを有し、上記作動機構の作動が上記１または複数の歯車の回転を引き起こすようになっており、
上記方法は、
上記着用可能な電子装置に、変更可能な機能を有するコントローラであって、上記第１の表示アセンブリの上記少なくとも１つの指示器と、上記第２の表示アセンブリの上記少なくとも１つの指示器とを動作可能に制御するために変更可能であるコントローラを提供するステップを備え、
上記コントローラが、上記作動機構の作動を制御するために上記作動機構に動作可能に連結されており、
上記第１の表示アセンブリの上記少なくとも１つの表示指示器を動作させるための上記コントローラの機能が、上記第２の表示アセンブリの上記少なくとも１つの表示指示器を動作させるための機能とは異なり、これにより、
上記着用可能な電子装置の表示機能が、上記モジュールの上記１または複数の歯車に動作可能に連結された上記表示アセンブリに基づいて変更可能であり、
連結された上記表示アセンブリに基づいて異なる表示機能を提供するために、上記モジュールおよび上記サブアセンブリが使用できることを特徴とする着用可能な電子装置を構築する方法。
【請求項１８】
ソフトウェア・プログラミングをコンピュータなどの外部ソースからダウンロードすることによって、上記コントローラの機能を変更するステップを含むことを特徴とする請求項１７に記載の方法。
【請求項１９】
どの表示アセンブリが上記ムーブメント・アセンブリに設けられているのかを示す信号を上記コントローラに与えることによって、上記コントローラの機能を変更するステップを含むことを特徴とする請求項１７に記載の方法。
【請求項２０】
ボタン列によって上記コントローラの機能を変更するステップを含むことを特徴とする請求項１７に記載の方法。
【請求項２１】
(i)ボンドワイヤの付加および／または除去、(ii)プリント回路基板上の選択された電気的接続部の開閉、および／または、(iii)上記プリント回路基板上の選択されたはんだ接合の付加および／または除去のうち、少なくとも１つによって上記コントローラの機能を変更するステップを含むことを特徴とする請求項１７に記載の方法。
【請求項２２】
着用可能な電子装置で第１の表示アセンブリの少なくとも１つの表示指示器と、第２の表示アセンブリの少なくとも１つの表示指示器とを制御するためのムーブメント・アセンブリにおいて、
上記第１の表示アセンブリが、上記第２の表示アセンブリとは異なり、且つ上記ムーブメント・アセンブリが、上記第１の表示アセンブリと上記第２の表示アセンブリを個々に受け入れ可能に構成されており、さらに、
上記ムーブメント・アセンブリは、
少なくとも１つの作動機構と、上記作動機構に回転可能に係合した１または複数の歯車とを有するサブアセンブリが内部に配設されるとともに、上記作動機構の作動により上記１または複数の歯車の回転が引き起こされ、上記１または複数の歯車の回転が上記第１および第２の表示アセンブリの上記表示指示器と動作可能に連結するように構成されたモジュールと、
第１の機能を有する第１のコントローラであって、上記作動機構を制御するために上記作動機構に動作可能に連結するように構成された第１のコントローラと、
第２の機能を有する第２のコントローラであって、上記第１のコントローラとは異なるように上記作動機構を制御するために、上記作動機構に動作可能に連結するように構成された第２のコントローラとを備え、
上記着用可能な電子装置の表示機能が、上記第１および第２のコントローラのうち、上記作動機構に動作可能に連結されている方に関連して変更可能であり、これにより、上記ムーブメント・アセンブリが、連結された上記表示アセンブリに基づいて異なる表示機能を提供するようになっていることを特徴とするムーブメント・アセンブリ。
【請求項２３】
上記第１のコントローラおよび上記第２のコントローラが、選択可能な第１および第２の機能を有する単一のコントローラにより構成され、上記ムーブメント・アセンブリがさらに、上記コントローラの機能を選択するための機能変更手段を備えることを特徴とする請求項２２に記載のムーブメント・アセンブリ。
【発明の詳細な説明】
【技術分野】
【０００１】
本発明は、概して、計時器などの電子装置に関し、詳細には、例えば、限定するものではないが、少なくとも２つの異なる表示アセンブリを有する単一の構成のモジュールおよびサブアセンブリを使用することができる腕時計など、着用可能な電子装置（wearable electronic device）に関する。具体的には、本発明は、それに関連して使用されるコントローラのカスタマイズまたは可変性を対象とする。
【背景技術】
【０００２】
（関連出願）
本出願は、２００５年６月１７日出願の米国特許仮出願第６０／６９１，８８２号、および米国特許出願第１１／１７４，０９５号の利益を主張するものである。
【０００３】
２つ以上の表示部を収容することができる単一のモジュールを備えた腕時計が知られている。例えば、米国特許第４７９６２４０号には、センターカートリッジ・ケーシングを有する計時器が記載されている。センターカートリッジ・ケーシングの内部には、２つの完全に組み立てられた時間表示カートリッジが個別に配置され、各カートリッジが特定の時計面の意匠を有している。表示指示器の機能および構成が２つのカートリッジそれぞれ同じであるため、互換性については、ある程度扱いやすくありふれたものとなっている。
【０００４】
二針の計時器と三針の計時器の両方に採り入れられる共通の要素を有するムーブメント・サブアセンブリの他の周知の例が、米国特許第５１５５７１１号に記載されており、互換性のあるケーシングを受け入れ可能に構成されたモジュールの第３の例が、米国特許第５８４４８６３号に記載されている。
【０００５】
しかし、本明細書で以下に説明する本発明とは対照的に、これらの従来技術の例は全て、本質的に表示機能しかない（dumb）モジュールおよびサブアセンブリを必要とし、すなわち、モジュールもサブアセンブリも、その中に挿入された、異なる表示部またはケースが何かを認識していない（動作可能に制御するように変更することもできない）。すなわち、従来技術は、それぞれが一定であり同一の回路の下で動作する限りは、単に交換可能またはケーシングの変更を可能にするだけであると考えられる。引用した文献のいずれも表示指示器を制御するのにカスタマイズ可能または変更可能なマイクロコントローラを使用しないという点で、前述の例それぞれは、事実上その汎用性が限られている。
【特許文献１】米国特許第４７９６２４０号
【特許文献２】米国特許第５１５５７１１号
【特許文献３】米国特許第５８４４８６３号
【発明の開示】
【０００６】
本発明は、異なる表示アセンブリを収容するためにコントローラのカスタマイズまたは可変性（changeability）を提供することによって現行技術を推進する。前述の利点を提供し上記のならびに以下に記載する目的を達成するための機能および手法が、本発明によって提供されると考えられる。
【０００７】
したがって、本発明の目的は、従来技術の認識されている問題点を克服することである。
【０００８】
本発明の他の目的および利点は、より汎用性のあるムーブメント・アセンブリを利用する電子装置を提供することであり、より詳細には、異なる表示指示器を有する異なる表示アセンブリを収容することができるムーブメント・アセンブリを提供することである。
【０００９】
本発明の他の目的は、コントローラのカスタマイズまたは変更によってムーブメント・アセンブリの機能を修正、変更および／または強化することができる改良型の電子装置を提供することである。
【００１０】
本発明の他の目的は、製造コスト、在庫コストおよび予定時間を低減し、ならびに製造の自由度を増大する電子装置アセンブリを提供することである。
【００１１】
本発明の他の目的および利点は、明細書から部分的に自明となり、部分的に明らかになるであろう。
【００１２】
したがって、本発明は、構造、要素の組合せ、および部品の構成の特徴、ならびに本明細書で以下に示す構造、図表および説明で例証される一連のステップを含み、本発明の範囲は、特許請求の範囲に示される。
【００１３】
上記および下記の利点および目的を実行するためには、本発明は、概して、着用可能な電子装置の第１の表示アセンブリの少なくとも１つの表示指示器と、第２の表示アセンブリの少なくとも１つの表示指示器を制御するためのムーブメント・アセンブリにおいて、第１の表示アセンブリの少なくとも１つの表示指示器が、第２の表示アセンブリの少なくとも１つの表示指示器の構成とは異なるように構成され、第１の表示アセンブリと第２の表示アセンブリの両方を個々に受けるために適合された、ムーブメント・アセンブリであって、少なくとも１つの作動機構と、作動機構に回転可能に係合した１または複数の歯車とを備えるサブアセンブリがその中に配設されたモジュールであって、作動機構の作動が１または複数の歯車の回転を引き起こすモジュールと、その作動機構の作動を制御するための、作動機構に動作可能に連結されたコントローラと、モジュールの１または複数の歯車に動作可能に連結するための、コントローラの機能を第１および第２の表示アセンブリの１つに基づいて変更するための手段とを備え、それにより、着用可能な電子装置の表示機能が、モジュールの１または複数の歯車に動作可能に連結された表示アセンブリに基づいて変更可能であり、また、それにより、モジュールおよびサブアセンブリを、それに連結した表示アセンブリに基づいて異なる表示機能を提供するように使用することができる、ムーブメント・アセンブリを対象とする。
【００１４】
本発明はまた、第１の表示アセンブリの少なくとも１つの表示指示器と、第２の表示アセンブリの少なくとも１つの表示指示器とを制御するためのムーブメント・アセンブリを備え、第１の表示アセンブリの少なくとも１つの表示指示器の構成が、第２の表示アセンブリの少なくとも１つの表示指示器の構成とは異なり、ムーブメント・アセンブリが、第１の表示アセンブリと第２の表示アセンブリの両方を個々に受けるように適合され、少なくとも１つの作動機構と、その作動機構と回転可能に係合した１または複数の歯車とを備えるサブアセンブリがその中に配設されたモジュールを備え、作動機構の作動により、１または複数の歯車の回転が引き起こされる、着用可能な電子装置であって、作動機構の作動を制御するための、作動機構に動作可能に連結された、変更可能な機能を備えるコントローラを備え、第１の表示アセンブリを動作させるためのコントローラの機能が、第２の表示アセンブリを動作させるための機能とは異なり、それにより、着用可能な電子装置の表示機能が、モジュールの１または複数の歯車に動作可能に連結された表示アセンブリに基づいて変更可能であり、また、それにより、モジュールおよびサブアセンブリを使用して、それに連結された表示アセンブリに基づいて、異なる表示機能を提供することができる、着用可能な電子装置も対象としている。
【００１５】
さらに代替の構成では、本発明は、第１の表示アセンブリの少なくとも１つの表示指示器と、第２の表示アセンブリの少なくとも１つの表示指示器とを制御するためのムーブメント・アセンブリを備え、第１の表示アセンブリの少なくとも１つの表示指示器の構成が、第２の表示アセンブリの少なくとも１つの表示指示器の構成とは異なり、ムーブメント・アセンブリが、第１の表示アセンブリと第２の表示アセンブリの両方を個々に受けるように適合され、少なくとも１つの作動機構と、作動機構と回転可能に係合した１または複数の歯車とを備えるサブアセンブリがその中に配設されたモジュールを備え、作動機構の作動により、１または複数の歯車の回転が引き起こされた着用可能な電子装置であって、作動機構の作動を制御するための、作動機構に動作可能に連結された、カスタマイズされたコントローラを備え、コントローラの機能が、第１の表示アセンブリの少なくとも１つの表示指示器を個別に動作可能に制御し、第２の表示アセンブリの少なくとも１つの表示指示器を動作可能に制御するようにカスタマイズされ、第１の表示アセンブリの少なくとも１つの表示指示器を動作可能に制御するためのコントローラの機能が、第２の表示アセンブリの少なくとも１つの表示指示器を制御するための機能とは異なり、それにより、着用可能な電子装置の表示機能が、モジュールの１または複数の歯車に動作可能に連結された表示アセンブリに基づいて変更可能であり、また、それにより、モジュールおよびサブアセンブリを使用して、それに連結された表示アセンブリに基づいて異なる表示機能を提供することができる、着用可能な電子装置を対象としている。
【００１６】
さらに他の代替の構成では、本発明は、着用可能な電子装置で第１の表示アセンブリの少なくとも１つの表示指示器と、第２の表示アセンブリの少なくとも１つの表示指示器とを制御するためのムーブメント・アセンブリにおいて、第１の表示アセンブリが、第２の表示アセンブリとは異なり、第１の表示アセンブリと第２の表示アセンブリを個々に受けるように適合された、ムーブメント・アセンブリであって、少なくとも１つの作動機構および作動機構と回転可能に係合した１または複数の歯車を備えるサブアセンブリがその中に配設されたモジュールであって、作動機構の作動により、１または複数の歯車の回転が引き起こされ、１または複数の歯車が、第１および第２の表示アセンブリの表示指示器と動作可能に連結するように適合されたモジュールと、第１の機能を有する第１のコントローラであって、作動機構を制御するために作動機構に動作可能に連結するように適合される、第１のコントローラと、第２の機能を有する第２のコントローラであって、第１のコントローラとは異なるように作動機構を制御するための作動機構に動作可能に連結するように適合され、着用可能な電子装置の表示機能が、第１および第２のコントローラの作動機構に動作可能に連結されている方に関連して変更可能であり、それにより、ムーブメント・アセンブリが、それに連結された表示アセンブリに基づいて異なる表示機能を提供する、第２のコントローラとを備える、ムーブメント・アセンブリを対象としている。
【００１７】
代替の構成では、好ましくは、第１のコントローラおよび第２のコントローラは、選択可能な第１および第２の機能を有する単一のコントローラで提供され、ムーブメント・アセンブリはさらに、コントローラの機能を選択するための機能変更手段を備える。
【００１８】
上述のムーブメント・アセンブリを備えた着用可能な電子装置を構築する方法も記載される。
【００１９】
好ましい実施形態では、その電子装置は、計時機能を有し、したがって、特定の実施形態では、腕時計である。
【００２０】
本発明の前述のおよび他の特徴は、添付の図面に関連して読むときに、発明を実施するための最良の形態で確実により明らかにされる。
【００２１】
全ての図の全ての特徴が参照番号で表記されていない場合があるが、図中の同一の参照番号は、同様の部品を示すものである。
【発明を実施するための最良の形態】
【００２２】
図１〜図３は、本発明に係るモジュールを示すもので、図中符号５がモジュールである。このモジュール５は、図４（第１実施例）または図５〜図８（第２実施例）に示す構成或いは構造を有する時計のように、電子装置の一部である。電子装置は、腕時計などの時計であり、例えば、当該電子装置を手首に固定するためのリスト・ストラップ（図示省略）など、その他の機能や部品を備えている。
【００２３】
あるいは、電子装置は、高度、温度またはコンパスの測定値、気圧、心拍数表示、血圧（および／またはそれらの組合せ）、潮の干満などの潮の情報の表示、日没の情報、月齢、薬を服用すべき時刻や各時間間隔で服用する錠剤の数などの医療情報（例えば、図４において、時間間隔（１２時、３時、６時、９時、１２時）を示すために針２６が使用され、各時間間隔で服用する錠剤の数（１〜１０）を示すために針２４が使用される）、カウントダウン・タイマー（残り何分かを示すために針２４が使用される）、水圧、水深およびダイバーのタンクに残された酸素などの追加のパラメータの１つ（すなわち、ダイバー用の時計）、対象物ファインダー（すなわち、自分の車を探すかまたは出発地点に戻る道を探すためのもの）、血糖値（血糖計）、速度および距離（ランナー用の時計）、預金口座の残高表示、および前述の任意の組合せ（それら全てを従来の計時機能に追加してもよく、その機能なしでもよい）に関する機能の形態であってよく、かつ／またはそれを有することができる。
【００２４】
本発明の本質的ではない部分の詳細は、共同出願で同時係属中の米国特許出願第１０／４４１，４１７号に示されており、その内容は参照により本明細書に完全に組み込まれる。
【００２５】
上述したように、本発明の目的の１つは、第１の表示アセンブリ（例えば、以下に示す図４）の少なくとも１つの表示指示器と、第２の表示アセンブリ（例えば、以下に示す図８）の少なくとも１つの表示指示器とを制御することができる、着用可能な電子装置のためのムーブメント・アセンブリを提供することである。
【００２６】
その目的および他の目的を実行するには、モジュール５は、１または複数のサブアセンブリを備え、そのサブアセンブリはそれぞれ、少なくとも１つの作動機構と、その作動機構と回転可能に係合した１または複数の歯車とを備え、作動機構が作動すると、１または複数の歯車が回転する。図１〜図４は、かようなサブアセンブリのいくつかを示すもので、以下に、それらサブアセンブリの各々について詳細に説明する。
【００２７】
具体的に、図２には４つのサブアセンブリが示されている。好ましい実施形態では、作動機構は、Ｍ１、Ｍ２、Ｍ３およびＭ４で示されるステッピング・モータであり、それら全てがモジュール５に配設されている。当業界で理解されているように、それらの具体的な位置は、設計事項の１つであり、間隔、動力、トルクの要件などの制約によって変化する。
【００２８】
モータＭ３は、ピニオン２５’を回転すべくモジュール５に配置され、ピニオン２５’自体は、追加の歯車／回転体の一部分を構成している。ここで、モータＭ３のロータの回転が、符号６３で示される歯車列を介して、ピニオン２５’の回転をもたらす。同様に、モータＭ４が、ピニオン２７’を回転すべく配置され、ピニオン２７’自体は、追加の歯車／回転体の一部分を構成している。モータＭ４のロータの回転が、符号６４で示される歯車列を介して、ピニオン２７’の回転をもたらす。モータＭ１およびＭ２の目的を、以下にさらに詳細に説明する。
【００２９】
図１〜図３に示すモジュール５、すなわちハウジング１７から延びるピニオン２５’および２７’の上には、各種表示アセンブリが設けられている。
【００３０】
図４は、第１実施例に係る電子装置の分解図である。図４の電子装置は、符号３０で表される第１の表示アセンブリを示しており、この第１の表示アセンブリは、少なくとも第１の表示指示器（例えば、表示針２４または表示針２６）を備えている。第１実施例は、多くの構成要素がその中に配設されたモジュール５を備え、それらのうち重要なものは、以下に説明する本発明に属するものである。例えば、時針１８や分針２０等の複数の（アナログ時計の一部を構成する）“標準的な”針を回転させるための歯車および／または歯車列の基本的な構造および配置など、当業者の認識の範囲内に含まれる電子装置に関する特定の基本的な公知の概念については、説明の簡略化のために、ここに開示する内容から省略することを理解されたい。また、言うまでもなく、モータＭ１は、時針１８および分針２０を回転させるために周知の方法で設けられている（例えば、モータＭ１のロータによって発生する回転運動を伝達するために歯車列６１に連結されている）ことを理解されたい。第４の針は、ステッピング・モータＭ２および符号６２の他の歯車列によって制御することができる。なお、この第４の針の細部や利点は、前述した’４１７号出願公開にさらに詳細に記載されている。これら各歯車列の構造も、十分に当業者の認識の範囲内に含まれる。
【００３１】
好ましい実施形態では、少なくともモータＭ３およびＭ４は、二方向性のステッピング・モータであり、いずれの方向にも回転させることができる。このように機能的に動作する、条件を満たすステッピング・モータの構造は、広く利用することができ、十分に当業者の理解の範囲内である。モータＭ１は、当業者に知られているように二方向性である必要はないが、モータＭ２は、二方向性であることが好ましい。
【００３２】
この第１実施例の表示アセンブリ３０は、マイラー（Mylar：登録商標）または他の適切なプラスチックから作られた文字盤３２を備える。文字盤３２は、“時”表示に対応する１〜１２等の数字をその上に有することができ、それら数字は印刷、シルクスクリーン印刷、またはその他の方法で形成することができる。時間を伝える他の印を、文字盤３２上に設けることも可能である。表示アセンブリ３０は、任意選択的な従来の時針および分針とは別に、上述した１または複数の表示針（例えば、針２４および／または針２６）を備えることもできる。
【００３３】
当業者によって理解されているように、それらの表示針の位置／配置は、例えば、（図１に示すようなピニオン２５’、２７’無しで）それぞれピン２５、２７の配置およびそれぞれのサブアセンブリの配置によって、単に示されるだけである。すなわち、針２４、２６の位置（例えば、４時や１０時における位置）は一例であって、これに限定されるものではない。
【００３４】
表示針２４，２６を使用することによって、従来知られていなかった利点が得られる。出願番号第１０／４４１，４１７号には、それらの利点やそれによって可能となる使用形態が開示されている。例えば、表示針２４，２６を使用することによって、上述した各パラメータや情報の表示部を提供することができる。かかる表示針の回転制御について以下に説明する。
【００３５】
図５〜図８は、第２実施例の表示アセンブリを示すもので、完成までの各段階において符号１３０で表されている。この表示アセンブリは少なくとも１つの表示指示器を有している。具体的には、第２の表示アセンブリ１３０は、１または複数の窓３４および３５を有する文字盤３３を備える。この第２の表示アセンブリ１３０の表示指示器は、好ましくは、ホイールまたはディスクを備える。その詳細は以下に説明する。こうした第２の表示アセンブリ１３０は、モジュール５に動作可能に連結されている。
【００３６】
例えば、図５（および図３）はモジュール５を示し、モジュール・プレート１３２がその上に配置されている。図５は、表示アセンブリ１３０の第１の表示指示器として、「フィート」および「メートル」記号の表示を有する第１のディスク１３４も示している。図６は、第１のディスク１３４に重なる第２のディスク１３６を、第２の表示指示器として備える第２の表示アセンブリ１３０を示している。この第２実施例では、表示例として示される「１１」、「１２」および「１３」により、高度の増加量を表示している。当然のことながら、実際の電子装置には、追加の表示（例えば、「１」、「２」、「３」・・・「１４」、「１５」、「１６」など）が付されている。図７は、保持プレート１４０をその上に有する第２の表示アセンブリ１３０およびモジュール５を示し、図８は、第２実施例の電子装置（例えば、高度計）のための、組み立てられた表示アセンブリ１３０を示す。それらの表示は、百、千等の単位とすることができる。
【００３７】
図４の第１実施例および図５〜図６の第２実施例に示すように、第１実施例では、ピン２５、２７の配置が、その上にそれぞれ表示針２４、２６を取付可能な配置となっていることが理解できよう。すなわち、第１実施例では、ピン２５、２７を使用して、針２４および／または針２６を回転することができる。
【００３８】
一方、図５は、第１のディスク１３４を（ピン２７に配置された）ピニオン２７’により駆動すべく、どのように寸法設定し配置できるかを示している。図６は第２のディスク１３６を示し、この第２のディスク１３６は、ディスク１３４と重なるように寸法設定され配置されて、（ピン２５に配置された）ピニオン２５’により駆動できるようになっている。より具体的には、それぞれのピン２５、２７の小型のピニオン／歯車は、好ましくは、それぞれディスク１３４、１３６の外周上の対応する歯とかみ合う歯を有する。図５は、ピン２７’のピニオンがピン２５’のピニオンよりどの程度大きいかを示し、これにより、ディスク１３４、１３６が互いに重なり合って適当なピニオンにより適切に駆動されるようになっている。かような構成とするのは、ピニオンどうしが同じ寸法の場合、ディスクを図示のように独立に駆動／回転するのが非常に難しくなるためである。
【００３９】
指示針またはディスク／リングの所望の動作または回転をもたらす歯車比は、設計事項の一つであり、所望のまたは必要な表示指示器の増分回転に依存するものである。その一例は、’４１７号出願に開示されている。すなわち、特定の歯車装置アセンブリのホイールの数は、本明細書に開示されているものより多くても少なくてもよく、意図した機能のための設計事項の一つであり、当技術分野の設計者に知られた幾つかの基準に基づいて設定されるものである。
【００４０】
したがって、着用可能な電子装置において、第１の表示アセンブリ３０の少なくとも１つの表示指示器（例えば、針２４および／または２６）と、第２の表示アセンブリ１３０の少なくとも１つの表示指示器（例えば、ディスク１３４および／または１３６）とを収容するように、１つのモジュール・アセンブリ、すなわちモジュール５を提供することができることを理解できよう。重要なことに、それぞれの指示器の制御は、異なる制御機能を必要とする。
【００４１】
コントローラは、一方では針２４および２６の適切で正確な制御、配置および回転を提供し、他方ではディスク１３４および１３６の適切で正確な制御、配置および回転を提供する。それら２つの表示アセンブリをそれぞれ制御するための汎用コントローラの詳細は、コントローラ１００として、前述した’４１７号出願に開示されている。本発明のコントローラは、本発明の目的および機能を実行するために、好ましくは、上記出願中に記載された機能上の全ての特徴を備える。次に、本発明に追加された特有の機能を説明する。
【００４２】
図９は、本発明に係る電子装置（例えば、電子装置１０）の部分ブロック図である。この図は、特に、モータＭ１、Ｍ２、Ｍ３およびＭ４、並びにスイッチＳ１〜Ｓ５へのインターフェース接続を示している。スイッチＳ１〜Ｓ５は、側部／上部に取り付けられたプッシャーと、側部に取り付けられた回転可能なリューズの両方を一般的に示すものであり、それらを作動させる動作（すなわち、引張りおよび／または押込み動作）に応答する。リューズの場合は、針１８、２０の設定、或いは針２４、２６やディスク１３４、１３６などの較正に、引張り動作または押込み動作が行われる。針とディスクの好ましい較正手法および配置が、前述した’４１７号出願および同時係属中で共同出願の出願番号第１０／７３７，４０６に開示されており、その内容は、本明細書で完全に記載されているかのように参照によって組み込まれる。このように、針２４、２６および／またはディスク１３４、１３６を常に較正すること（すなわち、それらの配置を初期化すること）が可能であり、その結果、コントローラ１００はそれぞれの位置を認識する。入力／出力制御回路１１０は、リューズの作動および押しボタンの切り替えを制御し、これらの信号情報をＣＰＵ１０１に与える。
【００４３】
図１０は、コントローラ１００のブロック図である。このコントローラ１００において、モータ制御回路１０９は、ＣＰＵコア１０１から、命じられた「次の数のパルス（next number of pulses）」を受け取り、所望のモータ（Ｍ１、Ｍ２、Ｍ３、Ｍ４）を所望量だけ所望方向に動かすのに必要なパルス状の位相信号を生成する。モータ制御回路１０９のパルス出力は、モータ・ドライバＭＤ１、ＭＤ２、ＭＤ３、およびＭＤ４によってバッファされ、それぞれモータＭ１、Ｍ２、Ｍ３、Ｍ４に加えられる。
【００４４】
コントローラ１００の適切な構成およびプログラミングによって、コントローラ１００の機能および動作が特定の表示アセンブリの特定の表示指示器を調節できるようにすることができる。すなわち、コントローラ１００はカスタマイズや変更により、特定の表示指示器を適切に制御するために調節される。したがって、コントローラ１００は、針、ディスクまたは他のアセンブリにより、他の情報のパラメータの表示を調整し制御することができる。
【００４５】
外部（the outside world）に対するインターフェース電子装置１０への回路の構成および／または針の制御の特徴および要素に関するより詳細な説明については、’４１７号出願を参照されたい。図１０は、並列および／または直列のセンサのインターフェースからの信号を受信するための汎用的なインターフェースを示している。限定ではなく一例として、本発明で適用可能な外部パラメータの測定のためのセンサ回路として、いくつかの例を挙げると、外気温、高度および水深、体温、心拍数、血圧およびコンパスの方向がある。
【００４６】
好ましい実施形態では、コントローラ１００が高度に統合されて、全ての時間測定および表示機能がコントローラ１００で制御される構成とされるが、代替の実施形態では、当業者によって理解されるように、蓄積または検知したそれら処理・表示データから、計時機能を切り離すことができる。
【００４７】
センサ（内部または外部の（例えば、一例として、心拍数送信装置などの送信装置））を使用しても、蓄積されたデータ（ダウンロード可能なデータなど）を使用しても、周知の手法により、表示針２４、２６およびディスク１３４、１３６を滑らかに回転させることができる。例えば、ステッピング・モータのロータを次の位置まで動かすためのパルスの数および方向を決定するには、パルスの数でいうロータの位置を認識し、それを、パルスに変換された新しいセンサ（または蓄積された）値から引き、その差の大きさおよび符号に基づいて、ステッピング・モータにロータを所望の量だけ所望の方向に動かすのに必要とされるパルスの数を与えることが必要である。代替の実施形態では、上述の計算を、変換されたセンサ（または蓄積された）値をデジタル形式で使用して実行することができ、次いで、適切な換算計数を適用することによって、上記で決定されたパルスの数を発生させることができる。上述の手法と共によく知られたプログラミング技術により、コントローラ１００が、各ステッピング・モータを進めて針またはディスクを回転させるために、モータ制御回路１０９に信号を送るかどうか、およびいつ送るかを決定することができる。
【００４８】
また、表示指示器のタイプやモジュール５上の配置にかかわらず、表示指示器を正確に制御するよう適切に構成するために、適当なマイクロコントローラのコードおよび／または他のプログラミング機能により、コントローラのカスタマイズおよび変更が可能である。
【００４９】
’４１７号出願には、蓄積、検知または送信されたデータを用いる表示指示器を使用して、情報を表示する非常に良い具体例が記述されている。
【００５０】
すなわち、第１の表示アセンブリの少なくとも１つの表示指示器と第２の表示アセンブリの少なくとも１つの表示指示器を制御するための特有のムーブメント・アセンブリであって、第１の表示アセンブリの少なくとも１つの表示指示器が、第２の表示アセンブリの少なくとも１つの表示指示器の構成（例えば、リングまたはディスクである）とは異なるように構成（例えば、表示針である）されるとともに、第１の表示アセンブリと第２の表示アセンブリの両方を個々に受け入れ可能に構成される着用可能な電子装置のムーブメント・アセンブリを、本発明が提供することが理解できよう。言い換えると、１つの汎用的なモジュール構造を使用して、複数の異なる表示アセンブリを収容または受け入れることができる。
【００５１】
上述のように、ムーブメント・アセンブリは、少なくとも１つの作動機構およびその作動機構と回転可能に係合した１または複数の歯車とを備えるサブアセンブリがその中に配設されたモジュールと、作動機構の作動を制御するために作動機構に動作可能に連結されたコントローラとを備える。本発明によれば、コントローラの機能を変更する手段が、モジュール上の表示アセンブリの特定の表示指示器を制御するために提供される。そのコントローラの機能を変更する手段は、どの（またはどんなタイプの）表示アセンブリがそれと共に使用されるかに基づいている。
【００５２】
一実施形態では、コントローラの機能を変更する手段は、ソフトウェア・プログラミング機能により構成される。こうしたソフトウェア・プログラミング機能は、別個のコントローラに提供することができる。例えば、モジュール５を使用して、（同時にではないけれども）図４（表示アセンブリ３０）と図８（表示アセンブリ１３０）の両方の表示アセンブリを制御することができることがここで明らかになる。したがって、図１のムーブメント・アセンブリとの唯一の重要な違いは、（ピニオン２５’および２７’の追加など軽微な修正とは別に）コントローラの置換にある。したがって、使用されている特定の表示アセンブリを駆動するための機能を有する新しいコントローラを、単に代わりに使用するだけで、製造コストおよび時間の大幅な低下を実現することができる。
【００５３】
コントローラの機能を変更する手段は、さらにおよび／またはあるいは、表示アセンブリ自体に、ある構成を備えることができる。例えば、特定の表示アセンブリがモジュール５上に構成されるときに、「プラグイン式」のような効果があり、それにより、コントローラに、どの表示アセンブリがその上に提供されているかを示す信号を与えるように、ピンまたは他のアセンブリを提供することができる。このような信号送信技術は、当技術分野で知られており、それらを使用することにより、さらにコントローラ自体の置換の上記ステップを無くすことができる。
【００５４】
さらに、上記変更する手段は、製造段階でまたはエンド・ユーザによって初期化することができるボタン列（button sequence）によって構成することもできる。例えば、コントローラの機能は、ユーザによって、または電子装置が製造された後に、変更可能またはカスタマイズ可能、あるいはその他の方法で修正可能とすることができる（このような全てのバリエーションや同様の用語は、この開示を通して、モジュール５上の特定の表示アセンブリの特定の表示指示器を制御するためにコントローラの機能を変更するという同じ考えを意味するものである）。こうした新しい方式は、例えば、実用的または所望の場合にエンド・ユーザが表示アセンブリを変更することを可能にする。
【００５５】
また、（マイクロコントローラの）機能は、例えば、ボンドワイヤの付加または除去、あるいははんだ接合の付加または除去などによるプリント回路基板上の電気的接続部の開閉（接続または分離）など、接合部の選択（bond options）によって変更または選択することもできる。
【００５６】
すなわち、上述した何れによっても、着用可能な電子装置の表示機能が、モジュールの１または複数の歯車に動作可能に連結される表示アセンブリに基づいて変更可能であり、連結された表示アセンブリに基づいて異なる表示機能を提供するために、モジュールおよびサブアセンブリを使用することができる。
【００５７】
特定の実施形態では、第１の表示アセンブリの少なくとも１つの表示指示器は指示針（例えば、図４）であり、第２の表示アセンブリの少なくとも１つの表示指示器はディスク（例えば、図５、６）である。あるいは、第２の表示アセンブリの表示指示器は、リング（例えば、一例では日付用リング）であってもよい。
【００５８】
また、もちろん、第１の実施形態の表示指示器は、リングまたはディスクであり、第２の実施形態の表示指示器もリングまたはディスクであってもよい。こうした構成においても、指示器が異なるパラメータまたは異なる情報を示すためにあるという点で、本発明は新規性を有している。すなわち、表示されている情報が変わることを考慮に入れて変更する必要があるのは、やはりコントローラであり、このような情報を表示するための尺度、パラメータ、アルゴリズムの全ては、表示指示器の物理的な態様（例えば、リング、ディスクまたは針）と、同様に重要なことに、表示指示器が何を表示するか（例えば、第１の実施形態の表示指示器が、高度を表示するディスク（例えば、図８）であり、第２の実施形態の表示指示器が、単なる日付用のリング／ディスク（例えば、図１２または１３）である）に応じて、変更しなければならない。したがって、コントローラ１００の機能は、こうした異なる表示の構成を考慮に入れて、変更／修正および／またはカスタマイズしなければならない。
【００５９】
本発明は、上述のムーブメント・アセンブリを備えた着用可能な電子装置も開示している。この電子装置（改良品）は、作動機構の作動を制御するために、変更可能な機能を有するコントローラを備え、このコントローラは作動機構に動作可能に連結されている。そして、第１の表示アセンブリを動作させるためのコントローラの機能が、第２の表示アセンブリを動作させるための機能とは異なり、それにより、着用可能な電子装置の表示機能が、モジュールの１または複数の歯車に動作可能に連結された表示アセンブリに基づいて、変更可能であるとともに、モジュールおよびサブアセンブリが、それに連結された表示アセンブリに基づいて異なる表示機能を提供するために、使用可能となっている。同様に、電子装置（改良品）は、第１の表示アセンブリの少なくとも１つの表示指示器を個別に動作可能に制御し、第２の表示アセンブリの少なくとも１つの表示指示器を動作可能に制御するように、コントローラをカスタマイズしたものであってもよい。さらに、表示指示器の物理的な構造が異なっていてもよく（例えば、表示針とディスクまたはリング）、表示されるパラメータ／情報は、異なる表示アセンブリの同様のリング間で異なっていてもよい（ほんの一例であるが、例えば心拍数と高度の組合せなど）。
【００６０】
最後に、もちろん、第１の表示アセンブリの少なくとも１つの表示指示器と、第２の表示アセンブリの少なくとも１つの表示指示器とを制御するためのムーブメント・アセンブリを備えた着用可能な電子装置を構築するための方法も提供される。上記でより詳細に説明したように、その方法は、第１の表示アセンブリの少なくとも１つの指示器に特有の機能と、第２の表示アセンブリの少なくとも１つの指示器に特有の機能とを有するコントローラを備える着用可能な電子装置を提供するステップを備える。このステップにおいて、コントローラは、作動機構の作動を制御するために作動機構に動作可能に連結され、第１の表示アセンブリの少なくとも１つの表示指示器を動作させるためのコントローラの機能は、第２の表示アセンブリの少なくとも１つの表示指示器を動作させるための機能とは異なり、これにより、着用可能な電子装置の表示機能が、モジュール内の１または複数の歯車に動作可能に連結された表示アセンブリに基づいて変更可能であるとともに、モジュールおよびサブアセンブリを使用して、それに連結された表示アセンブリに基づいて異なる表示機能を提供することができる。外部の構成（外部プログラミング）あるいは内部の構成（例えば、ボタン列）、代替の接合の選択肢（すなわち、ボンドワイヤの付加もしくは除去）および／またははんだ接合の付加もしくは除去によるプリント回路基板上の電気的接続部の開閉によって、可変性が生じ得る。
【００６１】
したがって、本発明が、既知の装置とは特許性の点で異なり、かつ既知の装置を大幅に改良したものであることは明らかである。具体的には、本発明は、異なる表示アセンブリを収容することができる単一のモジュール・アセンブリを提供するのに特有の方式を提供する。本明細書で多機能性および汎用性を提供するように単にカスタマイズされた（またはその他の方法で変更可能または修正可能な）コントローラを必要とする汎用的に構築されたプラットフォーム（platform）の新しい方式は、新規性があり、周知の技術に鑑み自明ではないと考えられる。
【００６２】
本発明を、その好ましい実施形態に関連して、詳しく示し説明してきたが、本発明の範囲および精神から逸脱することなく、形態および細部の変更を行うことができることが当業者によって理解されるであろう。例えば、リングまたはディスクの代わりに、細長い部材を使用してもよい（例えば、図１４の月齢）。
【００６３】
同様に、ピンおよび／またはピニオン（例えば、２５、２５’、２７、２７’）は、電子装置の制約条件および要件（例えば、間隔、トルク、動力）に応じてより大きくあるいは小さく作製してもよい。同様に、こうしたピンおよびピニオンの配置は、図１４の特有の表示アセンブリなど、異なるディスクおよび／または針の配置を受け入れるように変更することができる。さらに、実際のステッピング・モータまたは歯車アセンブリを動かす必要なしに、リング／ディスクを（または表示針でさえ）表示部のフェースの周りに自由に配置することができるように、追加の中間のホイールを、例えば、一方ではリングまたはディスク、もう一方ではピニオン２５’または２７’などの表示指示器の間で使用することができる。したがって、例えば、中間ホイールがそれらの２つを動作可能にかみ合わせるために使用される場合に、ピニオン２５’は、必要であれば、小型のリングを９時の位置に移動させることができる。
【図面の簡単な説明】
【００６４】
【図１】本発明にしたがって構築されたモジュール・アセンブリの斜視図である。
【図２】図１のモジュール・アセンブリのムーブメント側の斜視図である。
【図３】図１のモジュール・アセンブリの斜視図で、本発明に係る電子装置の完成までの一段階を示すものである。
【図４】本発明に係る第１の表示アセンブリを有する電子装置の分解図である。
【図５】図１のモジュール・アセンブリの斜視図で、本発明に係る電子装置の完成までの一段階を示すものである。
【図６】図１のモジュール・アセンブリの斜視図で、本発明に係る電子装置の完成までの一段階を示すものである。
【図７】図１のモジュール・アセンブリの斜視図で、本発明に係る電子装置の完成までの一段階を示すものである。
【図８】完成した第２の表示アセンブリを有する本発明に係る電子装置の斜視図である。
【図９】本発明に係る電子装置の回路図である。
【図１０】本発明に係る電子装置で使用されるコントローラのブロック図である。
【図１１】温度を表示するための表示指示器と、高度を示すための二次的な尺度とからなる追加の表示アセンブリを有する本発明に係る電子装置を示す図である。
【図１２】曜日および日付を示すための（ディスクまたはリングの形状の）さらに他の表示指示器であって、構成がディスク１３４および１３６に近似した表示指示器を有する追加の表示アセンブリを示す図である。
【図１３】本発明に係る追加の表示アセンブリ（例えば、日付、曜日、月、月齢など）を示す図である。
【図１４】本発明に係る追加の表示アセンブリ（例えば、日付、曜日、月、月齢など）を示す図である。
【符号の説明】
【００６５】
５  モジュール
３０，１３０  表示アセンブリ
１００  コントローラ
【図１】
2008544241.tif 000003
【図２】
2008544241.tif 000004
【図３】
2008544241.tif 000005
【図４】
2008544241.tif 000006
【図５】
2008544241.tif 000007
【図６】
2008544241.tif 000008
【図７】
2008544241.tif 000009
【図８】
2008544241.tif 000010
【図９】
2008544241.tif 000011
【図１０】
2008544241.tif 000012
【図１１】
2008544241.tif 000013
【図１２】
2008544241.tif 000014
【図１３】
2008544241.tif 000015
【図１４】
2008544241.tif 000016
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
着用可能な電子装置において、第１の表示アセンブリの少なくとも１つの表示指示器と、第２の表示アセンブリの少なくとも１つの表示指示器とを制御するためのムーブメント・アセンブリであって、
上記第１の表示アセンブリは、上記第２の表示アセンブリとは異なり、且つ上記ムーブメント・アセンブリは、上記第１の表示アセンブリと上記第２の表示アセンブリを個々に受け入れ可能に構成されており、さらに、
上記ムーブメント・アセンブリは、
少なくとも１つの作動機構と、上記作動機構に回転可能に係合した１または複数の歯車とを有するサブアセンブリが内部に配設されるとともに、上記作動機構の作動により上記１または複数の歯車の回転が引き起こされ、上記１または複数の歯車の回転が上記第１および第２の表示アセンブリの上記表示指示器と動作可能に連結するように構成されたモジュールと、
第１の機能を有する第１のコントローラであって、上記作動機構を制御するために上記作動機構に動作可能に連結するように構成された第１のコントローラと、
第２の機能を有する第２のコントローラであって、上記第１のコントローラとは異なるように上記作動機構を制御するために、上記作動機構に動作可能に連結するように構成された第２のコントローラとを備え、
上記着用可能な電子装置の表示機能が、上記第１および第２のコントローラのうち、上記作動機構に動作可能に連結されている方に関連して変更可能であり、これにより、上記ムーブメント・アセンブリが、連結された上記表示アセンブリに基づいて異なる表示機能を提供するようになっていることを特徴とするムーブメント・アセンブリ。
【請求項２】
上記第１のコントローラおよび上記第２のコントローラが、選択可能な第１および第２の機能を有する単一のコントローラにより構成され、上記ムーブメント・アセンブリがさらに、上記コントローラの機能を選択するための機能変更手段を備えることを特徴とする請求項１に記載のムーブメント・アセンブリ。
【請求項３】
上記機能変更手段が、ソフトウェア・プログラミング機能からなることを特徴とする請求項２に記載のムーブメント・アセンブリ。
【請求項４】
上記機能変更手段が、上記表示アセンブリ自体に設けられた構成であって、プラグイン方式のような作用をもたらすものであり、これにより、どの表示アセンブリがその上に設けられているのかを示す信号が、上記コントローラに与えられるようになっていることを特徴とする請求項２に記載のムーブメント・アセンブリ。
【請求項５】
上記機能変更手段が、ボタン列（button sequence）により構成されていることを特徴とする請求項２に記載のムーブメント・アセンブリ。
【請求項６】
上記機能変更手段が、接合部の選択によって実現され、その接合部の選択には、ボンドワイヤの付加および／または除去、選択した電気的接続部の開閉、および／または、選択したはんだ接合の付加または除去が含まれることを特徴とする請求項２に記載のムーブメント・アセンブリ。
【請求項７】
上記第１の表示アセンブリの上記少なくとも１つの表示指示器が表示針であり、上記第２の表示アセンブリの上記少なくとも１つの表示指示器がディスクまたはリングであることを特徴とする請求項２に記載のムーブメント・アセンブリ。
【請求項８】
第１の表示アセンブリの少なくとも１つの表示指示器と、第２の表示アセンブリの少なくとも１つの表示指示器を制御するためのムーブメント・アセンブリを有する着用可能な電子装置を構築するための方法であって、
上記第１の表示アセンブリの上記少なくとも１つの表示指示器の構成が、上記第２の表示アセンブリの上記少なくとも１つの表示指示器の構成とは異なり、上記ムーブメント・アセンブリが、上記第１の表示アセンブリと上記第２の表示アセンブリの両方を個々に受け入れ可能に構成され、さらに、上記ムーブメント・アセンブリが、サブアセンブリが内部に配設されたモジュールを備え、上記サブアセンブリが、少なくとも１つの作動機構と、上記作動機構に回転可能に係合した１または複数の歯車とを有し、上記作動機構の作動が上記１または複数の歯車の回転を引き起こすようになっており、
上記方法は、
上記着用可能な電子装置に、変更可能な機能を有するコントローラであって、上記第１の表示アセンブリの上記少なくとも１つの指示器と、上記第２の表示アセンブリの上記少なくとも１つの指示器とを動作可能に制御するために変更可能であるコントローラを提供するステップを備え、
上記コントローラが、上記作動機構の作動を制御するために上記作動機構に動作可能に連結されており、
上記第１の表示アセンブリの上記少なくとも１つの表示指示器を動作させるための上記コントローラの機能が、上記第２の表示アセンブリの上記少なくとも１つの表示指示器を動作させるための機能とは異なり、これにより、
上記着用可能な電子装置の表示機能が、上記モジュールの上記１または複数の歯車に動作可能に連結された上記表示アセンブリに基づいて変更可能であり、
連結された上記表示アセンブリに基づいて異なる表示機能を提供するために、上記モジュールおよび上記サブアセンブリが使用できることを特徴とする着用可能な電子装置を構築する方法。
【請求項９】
ソフトウェア・プログラミングをコンピュータなどの外部ソースからダウンロードすることによって、上記コントローラの機能を変更するステップを含むことを特徴とする請求項８に記載の方法。
【請求項１０】
どの表示アセンブリが上記ムーブメント・アセンブリに設けられているのかを示す信号を上記コントローラに与えることによって、上記コントローラの機能を変更するステップを含むことを特徴とする請求項８に記載の方法。
【請求項１１】
ボタン列によって上記コントローラの機能を変更するステップを含むことを特徴とする請求項８に記載の方法。
【請求項１２】
(i)ボンドワイヤの付加および／または除去、(ii)プリント回路基板上の選択された電気的接続部の開閉、および／または、(iii)上記プリント回路基板上の選択されたはんだ接合の付加および／または除去のうち、少なくとも１つによって上記コントローラの機能を変更するステップを含むことを特徴とする請求項８に記載の方法。
【国際調査報告】
2008544241.tif 000017
2008544241.tif 000018
2008544241.tif 000019